(57)【要約】【課題】チェーンに過大張力が作用したり、あるいは高温域でチェーンを使用してクリープ現象が発生してブシュとブシュ孔との嵌合力が低下したとしても、内リンクプレートとブシュとの間にずれが生じないローラチェーンを提供することを目的とする。【解決手段】ブシュ３は、ブシュ孔５に嵌合される小径部３ａと大径部３ｂとを有し、その境界部分に環状段差部３ｃを有し、小径部３ａ先端部分はブシュ最先端側に向けて徐々に肉厚が薄くなる環状薄肉部３ｄを有している。ブシュ孔５に小径部３ａが圧入されたブシュ３は、環状段差部３ｃがブシュ孔５端縁部に係合し、内リンクプレート外側面４ａから突出した小径部３ａ先端が部分的にかしめられて締鋲され、ブシュ３は環状段差部３ｃと締鋲部３ｅとにより内リンクプレート４に固定される。【選択図】図７
2009036274.tif 000002
【特許請求の範囲】
【請求項１】
ローラが回転自在に外嵌されたブシュの両端が一対の内リンクプレートに形成されたブシュ孔に嵌合固定され、前記ブシュ内に回転自在に挿入されたピンが一対の外リンクプレートに形成されたピン孔に嵌着されてなるローラチェーンにおいて、
前記ブシュは、前記ブシュ孔に嵌合される小径部とローラが外嵌される大径部との境界部分に環状段差部を有すると共に、該小径部の先端に徐々に肉薄に形成された環状薄肉部を有し、
前記ブシュ孔に前記小径部が圧入されたブシュは、前記環状段差部が該ブシュ孔の内リンクプレートの内側面側端縁部に係合すると共に、該小径部からなるブシュの先端が内リンクプレートの外側面から突出し、
前記突出したブシュの先端が部分的に数箇所で等間隔にかしめられることにより前記ブシュ孔の外側に締鋲されていることを特徴とするローラチェーン。
【請求項２】
前記内リンクプレートに形成されたブシュ孔の端縁部内周には面取り加工により環状の切欠部が形成され、該ブシュ孔に圧入された前記ブシュの先端が内リンクプレートの外側面から僅かに突出し、該僅かに突出したブシュの先端が部分的に数箇所で等間隔にかしめられることにより締鋲部が該ブシュ孔の環状の切欠部に接して締鋲されていることを特徴とする請求項１記載のローラチェーン。
【請求項３】
前記ローラ、ブシュ、ピン、内リンクプレート及び外リンクプレートの材質がステンレス鋼であることを特徴とする請求項１又は２記載のローラチェーン。
【発明の詳細な説明】
【技術分野】
【０００１】
本発明は、動力伝達（伝動）、搬送（コンベヤ）等に用いるローラチェーンに関し、詳しくは、内リンクプレートのブシュ孔にブシュがずれないように嵌合固定されたローラチェーンに関する。
【背景技術】
【０００２】
ローラチェーンとして、ローラが回転自在に外嵌されたブシュの両端が一対の内リンクプレートに形成されたブシュ孔に圧入（しまり嵌め）された内リンクと、前記ブシュ内に回転自在に挿入されたピンが一対の外リンクプレートに形成されたピン孔に嵌着された外リンクとからなるローラチェーンが知られている（特許文献１参照。）。
【特許文献１】特開２００６−２８９１号公報
【発明の開示】
【発明が解決しようとする課題】
【０００３】
前記従来のローラチェーンは、内リンクプレートのブシュ孔にブシュが圧入されているだけであるため、チェーンに過大張力が作用した場合、あるいは高温域でチェーンを使用してクリープ現象が発生した場合、内リンクプレートのブシュ孔が広がり、ブシュとブシュ孔との嵌合力が低下し、内リンクプレートとブシュとの間にずれが生じる。このずれが一対の内リンクプレートのいずれか一方にでも生じて、チェーン使用中に内リンクプレート同士の内幅（間隔）が広がると、内リンクプレートと隣接する外リンクプレートとが面接触して屈曲抵抗が発生し、チェーンが屈曲不良になる、という問題がある。また、逆に内リンクプレート同士の内幅が狭まると、ローラ回転不良が発生する、という問題がある。さらに、このようなチェーン屈曲不良、ローラ回転不良に起因して、チェーンとスプロケットとが噛合い不良を起こし、チェーンがスプロケットに乗り上げる等の不都合な現象を起こすと共に、チェーンが破損する、という問題がある。
【０００４】
そこで、本発明は、前記したような従来技術の問題を解決し、チェーンに過大張力が作用した場合、あるいは高温域でチェーンを使用してクリープ現象が発生した場合でも、内リンクプレートとブシュとの間にずれが生じるのを防止して、チェーンの屈曲不良、ローラ回転不良を防止することができ、これら不良に起因する不都合な現象を回避することができるローラチェーンを提供することを目的とする。
【課題を解決するための手段】
【０００５】
前記目的を達成するために、請求項１に係る本発明は、ローラが回転自在に外嵌されたブシュの両端が一対の内リンクプレートに形成されたブシュ孔に嵌合固定され、前記ブシュ内に回転自在に挿入されたピンが一対の外リンクプレートに形成されたピン孔に嵌着されてなるローラチェーンにおいて、前記ブシュは、前記ブシュ孔に嵌合される小径部とローラが外嵌される大径部との境界部分に環状段差部を有すると共に、該小径部の先端に徐々に肉薄に形成された環状薄肉部を有し、前記ブシュ孔に前記小径部が圧入されたブシュは、前記環状段差部が該ブシュ孔の内リンクプレートの内側面側端縁部に係合すると共に、該小径部からなるブシュの先端が内リンクプレートの外側面から突出し、前記突出したブシュの先端が部分的に数箇所で等間隔にかしめられることにより前記ブシュ孔の外側に締鋲されているローラチェーン、としたものである。
なお、本発明において、内リンクプレートの外側面とは、外リンクプレートと対峙している内リンクプレート面のことであり、内リンクプレートの内側面とは、ローラと対向する側の内リンクプレート面のことである。
【０００６】
請求項２に係る本発明は、前記請求項１に係る本発明のローラチェーンにおいて、前記内リンクプレートに形成されたブシュ孔の端縁部内周には面取り加工により環状の切欠部が形成され、該ブシュ孔に圧入された前記ブシュの先端が内リンクプレートの外側面から僅かに突出し、該僅かに突出したブシュの先端が部分的に数箇所で等間隔にかしめられることにより締鋲部が該ブシュ孔の環状の切欠部に接して締鋲されている、としたものである。
【０００７】
請求項３に係る本発明は、前記請求項１又は２に係る本発明のローラチェーンにおいて、前記ローラ、ブシュ、ピン、内リンクプレート及び外リンクプレートの材質がステンレス鋼である、としたものである。
【発明の効果】
【０００８】
請求項１に係る本発明のローラチェーンによれば、ブシュは、ブシュ孔に嵌合される小径部とローラが外嵌される大径部との境界部分に環状段差部を有すると共に、該小径部の先端に徐々に肉薄に形成された環状薄肉部を有し、前記ブシュ孔に前記小径部が圧入されたブシュは、環状段差部が該ブシュ孔の内リンクプレートの内側面側端縁部に係合すると共に、該小径部からなるブシュの先端が内リンクプレートの外側面から突出し、前記突出したブシュの先端が部分的に数箇所で等間隔にかしめられることにより前記ブシュ孔の外側に締鋲されているので、チェーンに過大張力が作用し、あるいはクリープ現象が発生し、内リンクプレートのブシュ孔が広がり、ブシュとブシュ孔との嵌合力が低下した場合でも、環状段差部がブシュ孔の端縁部に係合しているため、内リンクプレート同士の内幅が狭まるのを防止して、ローラ回転不良が発生するのを防止することができる。それと共に、前記内リンクプレートの外側面から突出したブシュの先端が部分的に数箇所で等間隔にかしめられることにより前記ブシュ孔の外側に締鋲されているため、内リンクプレート同士が外側にずれて内幅が広がるのを防止して、屈曲抵抗の発生、チェーンの屈曲不良を防止することができる。その結果、チェーン屈曲不良、ローラ回転不良に起因するスプロケットとの噛合い不良を回避することができ、ひいてはチェーン破損を防止することができる。
【０００９】
また、前記突出したブシュの先端は部分的に数箇所で等間隔にかしめられることにより前記ブシュ孔の外側に締鋲されるが、ブシュの先端部分が肉厚が薄い環状薄肉部であるため、小さいかしめ力で締鋲することができる。さらに、ブシュ先端が内リンクプレートの外側面から突出することとなり、突出したブシュの最先端が外リンクプレートに当接するため、ブシュとピンとの間のオイルが抜け出しにくくなる。その結果、ローラチェーンの耐摩耗性向上、チェーン伸び抑制を図ることができると共に、外リンクプレートに当接するブシュ最先端が環状薄肉部であるため、接触面積が小さく、チェーン屈曲時における屈曲抵抗を減少させることができる。
【００１０】
請求項２に係る本発明のローラチェーンによれば、内リンクプレートに形成されたブシュ孔の端縁部内周には面取り加工により環状の切欠部が形成され、該ブシュ孔に圧入されたブシュの先端が内リンクプレートの外側面から僅かに突出し、該僅かに突出したブシュの先端が部分的に数箇所で等間隔にかしめられることにより、締鋲部が該ブシュ孔の環状の切欠部に接して締鋲されるので、内リンクプレートの外側面から突出するブシュの先端が僅かで、しかも先端部分の環状薄肉部の肉厚が薄いため、小さいかしめ力で締鋲することができると共に、締鋲に際してブシュ内径が縮小するのを防止することができる。
【００１１】
また、内リンクプレートのブシュ孔端縁部内周には面取り加工により環状の切欠部が形成されているので、環状の切欠部を案内にしてブシュ先端がかしめられて締鋲されるため、締鋲部を内リンクプレートのプレート面から高くしないで締鋲することが可能となり、内リンクプレートの外側面から突出するブシュ先端の突出量が僅かでも、ブシュ最先端を外リンクプレートに当接させることができる。
【００１２】
請求項３に係る本発明のローラチェーンによれば、前記ローラ、ブシュ、ピン、内リンクプレート及び外リンクプレートの材質をステンレス鋼としたので、内リンクプレート及び外リンクプレートのクリープが抑制されローラチェーンを耐熱使用可能のものとすることができる。
【発明を実施するための最良の形態】
【００１３】
本発明の実施例１を図１〜図９に基づいて説明する。ローラチェーン１は、図１〜図３、図７等に示すように、ローラ２が回転自在に外嵌されたブシュ３の両端が一対の内リンクプレート４，４にそれぞれ形成された一対のブシュ孔５，５に嵌合固定され、ブシュ３内に回転自在に挿入されたピン６（又は延長ピン９）が一対の外リンクプレート７，７にそれぞれ形成された一対のピン孔８，８に嵌着されてなるものである。なお、延長ピン９はアタッチメントを別体として取り付ける場合のピンであり、図１〜図３における符号１０は内リンクプレート４に備えられたアタッチメントである。
【００１４】
内リンクプレート４は、図４、図５に示すように、その表裏両面が外リンクプレート７に対峙する外側面４ａとローラ２に対向する内側面４ｂとを有する。内リンクプレート４に形成されたブシュ孔５の外側面４ａ側の端縁部内周には、面取り加工により環状の切欠部５ａが形成され、この環状の切欠部５ａは外側面４ａ側に向けて徐々に内径が大きくなる末広状になっている。この環状の切欠部５ａは、内リンクプレート４の少なくとも外リンクプレート７に対向する外側面４ａ側に形成されていればよく、反対側の内側面４ｂ側は面取り加工されてなくてもよい。なお、環状の切欠部５ａがブシュ孔５の両端縁部、すなわち外側面４ａ側及び内側面４ｂ側に形成されている場合は、チェーン製造時に内リンクプレート４の表裏を区別する必要がないため、組み立て工程を簡略化することができる。
【００１５】
内リンクプレート４のブシュ孔５に嵌合されるブシュ３は、図６に示すように、ブシュ孔５に嵌合する小径部３ａとローラ２が外嵌される大径部３ｂとを有し、小径部３ａと大径部３ｂとの境界部分で形成された環状段差部３ｃを有する。また、ブシュ３の小径部３ａ先端部分は、ブシュ最先端側に向けて徐々に肉厚が薄くなる環状薄肉部３ｄを有している。
【００１６】
このブシュ３をブシュ孔５に嵌合するときは、ブシュ３の小径部３ａを圧入し、環状段差部３ｃをブシュ孔５の内リンクプレート内側面４ｂ側の端縁部に当接させ、ブシュ３の小径部３ａを内リンクプレート４の外側面４ａから僅かに突出させる（図９参照。）。このようにブシュ孔５に嵌合されたブシュ３は、図８，図１０に示すように、環状薄肉部３ｄが部分的に等間隔でかしめられ、４箇所の締鋲部３ｅが環状の切欠部５ａに接するように締鋲（十文字締鋲）される。なお、ここではブシュ３の先端を内リンクプレート４の外側面４ａから僅かに突出させているがどの程度突出させるかは任意である。
【００１７】
上記のように、ブシュ３の環状薄肉部３ｄを部分的にかしめるときは、環状薄肉部３ｄに切れ目が生じないように、またブシュ３の内径が縮小しないように、かしめ工具、例えばかしめパンチ、締鋲ぱんち、かしめ金型などでブシュ孔５の環状の切欠部５ａを案内にして塑性変形させてかしめる。
【００１８】
上記構成からなるローラチェーン１の作用効果は以下のとおりである。ブシュ３の小径部３が内リンクプレート４のブシュ孔５に圧入され、ブシュ３外周の環状段差部３ｃがブシュ孔５の内リンクプレート内側面４ｂ側の端縁部に当接して係合し、また、内リンクプレート４の外側面４ａから僅かにブシュ３の小径部３ａ先端が突出し、この突出したブシュ３先端の環状薄肉部３ｄが４箇所でかしめられることにより締鋲されているので、ブシュ３をブシュ孔５に強固に嵌合固定することができる。
【００１９】
ローラチェーンに過大張力が作用したり、あるいは高温域でローラチェーンを使用してクリープ現象が発生して、内リンクプレート４のブシュ孔５が広がり、ブシュ３とブシュ孔５との嵌合力が低下したとしても、ブシュ孔５に嵌合されているブシュ３は、環状段差部３ｃと４箇所の締鋲部３ｅとにより固定されているため、ブシュ３とブシュ孔５とでずれが生じることはなく、ブシュ３と内リンクプレート４とがずれないようになる。
【００２０】
その結果、内リンクプレート４，４同士の内幅（間隔）が広がるのを防止することができ、屈曲抵抗の発生、チェーン屈曲不良を防止することができると共に、内リンクプレート４，４同士の内幅（間隔）が狭まるのを防止することができ、ローラ２の回転不良が発生するのを防止することができる。そのためチェーン屈曲不良、ローラ回転不良に起因するスプロケットとの噛合い不良を回避することができ、ひいてはチェーン破損を防止することができる。
【００２１】
また、突出したブシュ３の先端が部分的に数箇所で等間隔にかしめられることにより締鋲されるが、ブシュ３先端部分の肉厚が薄い環状薄肉部３ｄであるため、小さいかしめ力で締鋲することができる。さらに、ブシュ最先端３ｆを外リンクプレート７に当接するようにすることができ、この場合ブシュ３とピン６との間のオイルが抜け出しにくくなり、その結果、ローラチェーン１の耐摩耗性向上、チェーン伸び抑制を図ることができると共に、ブシュ先端が環状薄肉部３ｄで形成されているため、ブシュ最先端３ｆと外リンクプレート７との接触面積が小さく、チェーン屈曲時における屈曲抵抗を減少させることができる。
【００２２】
内リンクプレート４のブシュ孔５には、外側面４ａ側の端縁部内周に面取り加工により環状の切欠部５ａが形成され、ブシュ孔５に圧入されたブシュ３の先端が内リンクプレート４の外側面４ａから僅かに突出している場合、この僅かに突出したブシュ３先端が部分的に４箇所で等間隔にかしめられることによりブシュ孔５の環状の切欠部５ａに接して締鋲されるので、小さいかしめ力で締鋲することができると共に、締鋲に際してブシュ内径が縮小するのを防止することができる。
【００２３】
内リンクプレート４のブシュ孔５端縁部内周には面取り加工により環状の切欠部５ａが形成されているので、環状の切欠部５ａを案内にしてブシュ３先端がかしめられて塑性変形により締鋲されるため、締鋲部３ｅを内リンクプレートの外側面４ａから高く突出させることなく締鋲することが可能となり、内リンクプレートの外側面４ａから突出するブシュ先端の突出量が僅かでも、ブシュ最先端３ｆを外リンクプレート５に当接させることができる。
【００２４】
本発明の実施例２を図１０〜図１２に基づいて説明する。実施例２のローラチェーンは、前記実施例１のローラチェーンと内リンクプレートのブシュ孔の形状、ブシュ先端の内リンクプレートの外側面からの突出量が大きい点で構成が相違し、他の構成は相違しない。そこで、実施例１と共通する部材には適宜同一符号を付して相違する点を主として以下説明する。
【００２５】
ローラチェーン１を構成する内リンクプレート１４のブシュ孔１５は、前記実施例１のものと相違して、ブシュ孔１５の端縁部内周には面取り加工がされていない。また、ブシュ３は、前記実施例１と同じように、ブシュ孔１５に嵌合する小径部３ａとローラ２が外嵌される大径部３ｂとを有し、小径部３ａと大径部３ｂとの境界部分で形成された環状段差部３ｃを有し、ブシュ３の小径部３ａ先端部分は、ブシュ最先端側に向けて徐々に肉厚が薄くなる環状薄肉部３ｄを有している（図６参照。）。
【００２６】
ブシュ３をブシュ孔１５に嵌合するときは、ブシュ３の小径部３ａを圧入し、環状段差部３ｃをブシュ孔１５の内リンクプレート内側面１４ｂ側の端縁部に当接させ、ブシュ３の小径部３ａを内リンクプレート１４の外側面１４ａから大きく突出させる（図１２参照。）。このようにブシュ孔１５に嵌合されたブシュ３は、環状薄肉部３ｄが部分的に等間隔でかしめられ、４箇所の締鋲部３ｅで締鋲（十文字締鋲）される（図１１参照。）。
【００２７】
上記のように構成されたローラチェーンは、前記実施例１のローラチェーンと同等の効果を奏するが、さらに加えて次の効果を奏する。内リンクプレート１４の面取り加工されていないブシュ孔１５に小径部３ｅが圧入され、内リンクプレート外側面１４ａから突出したブシュ３の先端が部分的に数箇所で等間隔にかしめられて締鋲されるが、ブシュ孔１５に面取り部がないため、締鋲部３ｅの形成時における大きなかしめ力にブシュ孔１５が耐えられるので、内リンクプレート外側面１４ａから突出するブシュ先端の突出量を大きくして締鋲部３ｅの締鋲代を大きくすることができ、その結果、内リンクプレート１４同士の広がりを確実に防止することができる。
【００２８】
以上実施例１，２として、内リンクプレートから突出するブシュ先端を４箇所でかしめるものについて説明したが、２箇所以上、数箇所でかしめても構わない。また、ローラチェーン１を構成するローラ２、ブシュ３、ピン６、内リンクプレート４及び外リンクプレート７等の部材の材質としては普通鋼でも構わないが、これら部材を特殊鋼であるステンレス鋼とすることが好ましく、ステンレス鋼とした場合、内リンクプレート４及び外リンクプレート７のクリープが抑制されローラチェーンを耐熱使用可能のものとすることができる。
【図面の簡単な説明】
【００２９】
【図１】本発明実施例１のローラチェーンの一部平面図である。
【図２】ローラチェーンの一部正面図である。
【図３】図２のＸ−Ｘ矢視方向断面図である。
【図４】内リンクプレートの平面図である。
【図５】内リンクプレートの断面図である。
【図６】ブシュの断面図である。
【図７】ローラチェーンの要部断面図である。
【図８】ブシュの環状薄肉部が部分的に締鋲された内リンクプレートの平面図である。
【図９】図８に示す内リンクプレートの側面図である。
【図１０】本発明実施例２のローラチェーンの要部断面図である。
【図１１】ブシュの環状薄肉部が部分的に締鋲された内リンクプレートの平面図である。
【図１２】図１１に示す内リンクプレートの側面図である。
【符号の説明】
【００３０】
１    ローラチェーン                  ２    ローラ
３    ブシュ                          ３ａ  小径部
３ｂ  大径部                          ３ｃ  環状段差部
３ｄ  環状薄肉部                      ３ｅ  締鋲部
３ｆ  ブシュ最先端                    ４    内リンクプレート
４ａ  内リンクプレートの外側面        ４ｂ  内リンクプレートの内側面
５    ブシュ孔                        ５ａ  環状の切欠部
６    ピン                            ７    外リンクプレート
８    ピン孔                          ９    延長ピン
１０  アタッチメント
１４  内リンクプレート                １４ａ  内リンクプレートの外側面
１４ｂ  内リンクプレートの内側面      １５  ブシュ孔
【図１】
2009036274.tif 000003
【図２】
2009036274.tif 000004
【図３】
2009036274.tif 000005
【図４】
2009036274.tif 000006
【図５】
2009036274.tif 000007
【図６】
2009036274.tif 000008
【図７】
2009036274.tif 000009
【図８】
2009036274.tif 000010
【図９】
2009036274.tif 000011
【図１０】
2009036274.tif 000012
【図１１】
2009036274.tif 000013
【図１２】
2009036274.tif 000014